(57)【要約】【課題】各種性能を犠牲にすることなく、部品点数を削減することにより品質管理の負担を軽減するとともに、製造コストを低減できる電気光学装置の構造を実現する。【解決手段】本発明の電気光学装置１１は、表示面１Ａを備えた電気光学ユニット３と、該電気光学ユニットに接続され、前記電気光学ユニットの平面範囲より外側に配置される回路基板７と、前記電気光学ユニットを直接若しくは間接的に前記表示面の側から保持する金属枠５と、前記電気光学ユニットに対し前記表示面とは反対側に配置される背面部６Ａ及び前記回路基板を支持する支持部６Ｂを一体に備えた金属板６と、前記回路基板を前記支持部の反対側から覆うとともに前記金属枠と前記背面部の少なくとも一方と前記支持部の双方に固定された金属カバー９と、を具備する。【選択図】図２
2010243519.tif 000002
【特許請求の範囲】
【請求項１】
表示面を備えた電気光学ユニットと、
該電気光学ユニットに接続され、前記電気光学ユニットの平面範囲より外側に配置される回路基板と、
前記電気光学ユニットを直接若しくは間接的に前記表示面の側から保持する金属枠と、
前記電気光学ユニットに対し前記表示面とは反対側に配置される背面部及び前記回路基板を支持する支持部を一体に備えた金属板と、
前記回路基板を前記支持部の反対側から覆うとともに前記金属枠と前記背面部の少なくとも一方と前記支持部の双方に固定された金属カバーと、
を具備することを特徴とする電気光学装置。
【請求項２】
前記金属板は前記背面部から前記支持部にわたる絞り変形部を有することを特徴とする請求項１に記載の電気光学装置。
【請求項３】
前記金属板は前記背面部と前記支持部が屈折していることを特徴とする請求項１又は２に記載の電気光学装置。
【請求項４】
表示面を備えた電気光学ユニットと、
該電気光学ユニットに接続され、前記電気光学ユニットの平面範囲より外側に配置される回路基板と、
前記電気光学ユニットを直接若しくは間接的に前記表示面の側から保持する保持部及び前記回路基板を支持する支持部を一体に備えた金属枠と、
前記電気光学ユニットに対し前記表示面とは反対側に配置される背面部を備えた金属板と、
前記回路基板を前記支持部の反対側から覆うとともに前記金属板若しくは前記保持部の少なくとも一方と前記支持部の双方に固定された金属カバーと、
を具備することを特徴とする電気光学装置。
【請求項５】
前記金属枠は前記保持部から前記支持部にわたる絞り変形部を有することを特徴とする請求項４に記載の電気光学装置。
【請求項６】
前記金属枠は前記保持部と前記支持部が屈折していることを特徴とする請求項４又は５に記載の電気光学装置。
【請求項７】
表示面を備えた電気光学ユニットと、
該電気光学ユニットに接続され、前記電気光学ユニットの平面範囲より外側に配置される回路基板と、
前記電気光学ユニットを直接若しくは間接的に前記表示面の側から保持する保持部及び前記回路基板を覆うカバー部を一体に備える金属枠と、
前記電気光学ユニットに対し前記表示面とは反対側に配置される背面部及び前記カバー部の反対側から前記回路基板を支持するとともに前記カバー部に固定される支持部を一体に備える金属板と、
を具備することを特徴とする電気光学装置。
【請求項８】
前記金属枠は前記保持部から前記カバー部にわたる絞り変形部を有することを特徴とする請求項７に記載の電気光学装置。
【請求項９】
前記金属板は前記背面部から前記支持部にわたる絞り変形部を有することを特徴とする請求項７又は８に記載の電気光学装置。
【請求項１０】
前記金属枠は前記保持部と前記カバー部が屈折し、前記金属板は前記背面部と前記支持部が屈折していることを特徴とする請求項７乃至９のいずれか一項に記載の電気光学装置。
【請求項１１】
表示面を備えた電気光学ユニットと、
該電気光学ユニットに接続され、前記電気光学ユニットの平面範囲より外側に配置される回路基板と、
前記電気光学ユニットを直接若しくは間接的に前記表示面の側から保持する保持部及び前記回路基板を支持する支持部を一体に備える金属枠と、
前記電気光学ユニットに対し前記表示面とは反対側に配置される背面部及び前記支持部の反対側から前記回路基板を覆うとともに前記支持部に固定されるカバー部を一体に備える金属板と、
を具備することを特徴とする電気光学装置。
【請求項１２】
前記金属枠は前記保持部から前記支持部にわたる絞り変形部を有することを特徴とする請求項１１に記載の電気光学装置。
【請求項１３】
前記金属板は前記背面部から前記カバー部にわたる絞り変形部を有することを特徴とする請求項１１又は１２に記載の電気光学装置。
【請求項１４】
前記金属枠は前記保持部と前記支持部が屈折し、前記金属板は前記背面部と前記カバー部が屈折していることを特徴とする請求項１１乃至１３のいずれか一項に記載の電気光学装置。
【請求項１５】
請求項１乃至１４のいずれか一項に記載の電気光学装置と、該電気光学装置を制御する制御手段とを有することを特徴とする電子機器。
【発明の詳細な説明】
【技術分野】
【０００１】
本発明は電気光学装置及び電子機器に係り、特に、電気光学パネルが回路基板に接続されてなる装置の構造に関する。
【背景技術】
【０００２】
液晶表示体などの電気光学装置は各種の表示機器として種々の場面において使用されているが、多くの場合、電気光学パネルには回路基板が接続され、この回路基板上にＩＣ等の電子部品や配線パターンが形成されることで電気光学パネルを駆動するための駆動回路が構成される。
【０００３】
従来の電気光学装置としては、液晶表示パネルと回路基板５が重ねて配置され、これらが金属ケース３に収容された構造を備えた液晶表示装置が知られている（例えば、以下の特許文献１参照）。
【０００４】
また、図９及び図１０に示すように、表示面１Ａを備えた図示しない液晶表示パネル及びバックライトよりなる電気光学ユニットを保持する樹脂製の保持枠と、この保持枠に対して前面側（表示画面側）から装着されることにより、液晶表示パネルを前面側より保持する金属枠５と、この金属枠５に係合し、上記保持枠の背面（表示画面とは反対側の面）上に配置されるアルミニウムよりなる放熱板６とを備えた液晶表示装置１０も知られている。
【０００５】
この液晶表示装置１０では、上記液晶表示パネルに対して図示しないＦＰＣ（フレキシブル配線基板）を介して接続された回路基板７が設けられる。この回路基板７は上記保持枠の平面範囲の外側に配置され、上記金属枠５又は放熱板６に対して張り出した状態で固定された金属製の支持板８上に取り付けられている。また、液晶表示装置のＥＭＩ（Electro Magnetic Interference：電波障害）対策として回路基板７を導体で覆う必要があることから、回路基板７の支持板８とは反対側から覆う金属カバー９を設けている。この金属カバー９は支持板８に対し取り付けられ、支持板８と金属カバー９によって構成された金属製筐体の内部に回路基板７が配置されるように構成される。
【先行技術文献】
【特許文献】
【０００６】
【特許文献１】特開２００２−２４４１０８号公報
【発明の概要】
【発明が解決しようとする課題】
【０００７】
上記特許文献１に記載された液晶表示装置や図９及び図１０に示される液晶表示装置においては、上記バックライトによって生ずる熱を効率的に放散させるために上記放熱板６をアルミニウム等の放熱性の良好な材料で構成する必要があるが、この放熱板６は電気光学ユニットが配置される本体部分の薄型化を妨げないようにするために厚くすることができない。一方、図９及び図１０に示すように電気光学ユニットの平面範囲の外側に配置された回路基板７を支持するためには、或る程度の支持剛性が要求されるので、柔らかく薄い放熱板６とは別にステンレス等で構成される支持板８を金属枠５に取り付けるようにしている。
【０００８】
したがって、図示しない電気光学ユニットを収容する保持枠に加えて、金属枠５、放熱板６、支持板８及び金属カバー９が必要となるので、部品点数が多くなり、品質管理が煩雑になるとともに、製造コストの低減が難しいという問題点がある。
【０００９】
そこで、本発明は上記問題点を解決するものであり、その課題は、各種性能を犠牲にすることなく、部品点数を削減することにより品質管理の負担を軽減するとともに、製造コストを低減できる電気光学装置の構造を実現することにある。
【課題を解決するための手段】
【００１０】
斯かる実情に鑑み、第１発明の電気光学装置は、表示面を備えた電気光学ユニットと、該電気光学ユニットに接続され、前記電気光学ユニットの平面範囲より外側に配置される回路基板と、前記電気光学ユニットを直接若しくは間接的に前記表示面の側から保持する金属枠と、前記電気光学ユニットに対し前記表示面とは反対側に配置される背面部及び前記回路基板を支持する支持部を一体に備えた金属板と、前記回路基板を前記支持部の反対側から覆うとともに前記金属枠と前記背面部の少なくとも一方と前記支持部の双方に固定された金属カバーと、を具備する。
【００１１】
本発明によれば、電気光学ユニットに対し表示面とは反対側に配置される背面部と回路基板を支持する支持部を一体に備えた金属板とすることで、前述の放熱板と支持板を一体化して部品点数を低減できるとともに、回路基板を覆う金属カバーを金属枠と支持部の双方に固定することで、当該金属カバーによって支持部の剛性を補うことができる。したがって、上記金属板を厚くして剛性を高めなくても、或いは、金属板の放熱性を犠牲にして剛性の高い素材を用いなくても、金属板の支持部と金属カバーの双方で回路基板を支持することができる。このため、装置の薄型化を妨げずに放熱性を確保できるとともに、部品点数を削減し、製造コストを低減することが可能になる。
【００１２】
上記第１発明においては、前記金属板は前記背面部から前記支持部にわたる絞り変形部を有することが好ましい。これによれば、背面部と支持部の間の剛性を高めることができ、これによって金属板のさらなる薄型化や、金属カバーと金属枠との間又は金属カバーと支持部との間の固定位置や固定構造の自由度を高めることができる。
【００１３】
また、前記金属板は前記背面部と前記支持部が屈折していることが好ましい。このように金属板が屈折していることにより金属板の剛性をさらに高めることができる。
【００１４】
また、第２発明の電気光学装置は、表示面を備えた電気光学ユニットと、該電気光学ユニットに接続され、前記電気光学ユニットの平面範囲より外側に配置される回路基板と、前記電気光学ユニットを直接若しくは間接的に前記表示面の側から保持する保持部及び前記回路基板を支持する支持部を一体に備えた金属枠と、前記電気光学ユニットに対し前記表示面とは反対側に配置される背面部を備えた金属板と、前記回路基板を前記支持部の反対側から覆うとともに前記金属板若しくは前記保持部の少なくとも一方と前記支持部の双方に固定された金属カバーと、を具備する。
【００１５】
本発明によれば、前記電気光学ユニットを直接若しくは間接的に前記表示面の側から保持する保持部と回路基板を支持する支持部を一体に備えた金属枠とすることで、前述の金属枠と支持板を一体化して部品点数を低減できるとともに、回路基板を覆う金属カバーを金属板と支持部の双方に固定することで、当該金属カバーによって支持部の剛性を補うことができる。したがって、上記金属枠を厚くして剛性を高めなくても、或いは、金属枠の開口範囲を犠牲にして剛性を高めなくても、金属枠の支持部と金属カバーの双方で回路基板を支持することができるため、装置の薄型化を妨げずに開口範囲を確保できるとともに、部品点数を削減し、製造コストを低減することが可能になる。
【００１６】
上記第２発明においては、前記金属枠は前記保持部から前記支持部にわたる絞り変形部を有することが好ましい。これによれば、保持部と支持部の間の剛性を高めることができ、これによって金属枠の薄型化や、金属カバーと金属板との間又は金属カバーと支持部との間の固定位置や固定構造の自由度を高めることができる。
【００１７】
また、前記金属枠は前記保持部と前記支持部が屈折していることが好ましい。このように金属枠が屈折していることにより金属板の剛性をさらに高めることができる。
【００１８】
さらに、第３発明の電気光学装置は、表示面を備えた電気光学ユニットと、該電気光学ユニットに接続され、前記電気光学ユニットの平面範囲より外側に配置される回路基板と、前記電気光学ユニットを直接若しくは間接的に前記表示面の側から保持する保持部及び前記回路基板を覆うカバー部を一体に備える金属枠と、前記電気光学ユニットに対し前記表示面とは反対側に配置される背面部及び前記カバー部の反対側から前記回路基板を支持するとともに前記カバー部に固定される支持部を一体に備える金属板と、を具備する。
【００１９】
本発明によれば、前記電気光学ユニットを直接若しくは間接的に前記表示面の側から保持する保持部と回路基板を覆うカバー部を一体に備えた金属枠とするとともに、電気光学パネルに対し表示面とは反対側に配置される背面部と回路基板を支持する支持部を一体に備えた金属板とすることにより、前述の金属枠と金属カバー、放熱板と支持板をそれぞれ一体化して部品点数を低減できるとともに、金属枠のカバー部と金属板の支持部を固定することで、当該支持部の剛性を補うことができる。したがって、上記金属枠を厚くして剛性を高めなくても、或いは、金属枠の開口範囲を犠牲にして剛性を高めなくても、さらには、上記金属板を厚くして剛性を高めなくても、或いは、金属板の放熱性を犠牲にして剛性の高い素材を用いなくても、金属枠のカバー部と金属板の支持部の双方で回路基板を支持することができる。このため、装置の薄型化を妨げずに放熱性を確保できるとともに、部品点数を削減し、製造コストを低減することが可能になる。
【００２０】
上記第３発明においては、前記金属枠は前記保持部から前記カバー部にわたる絞り変形部を有することが好ましい。これによれば、金属枠における保持部とカバー部の間の剛性を高めることができる。また、前記金属板は前記背面部から前記支持部にわたる絞り変形部を有することが好ましい。これによれば、金属板における背面部と支持部の間の剛性を高めることができる。そして、これらによって金属板のさらなる薄型化や金属カバーと金属枠又は支持部との固定位置や固定構造の自由度を高めることができる。
【００２１】
また、前記金属枠は前記保持部と前記カバー部が屈折し、前記金属板は前記背面部と前記支持部が屈折していることが好ましい。このように金属枠及び金属板が屈折していることにより支持剛性をさらに高めることができる。
【００２２】
また、第４発明の電気光学装置は、表示面を備えた電気光学ユニットと、該電気光学ユニットに接続され、前記電気光学ユニットの平面範囲より外側に配置される回路基板と、前記電気光学ユニットを直接若しくは間接的に前記表示面の側から保持する保持部及び前記回路基板を支持する支持部を一体に備える金属枠と、前記電気光学ユニットに対し前記表示面とは反対側に配置される背面部及び前記支持部の反対側から前記回路基板を覆うとともに前記支持部に固定されるカバー部を一体に備える金属板と、を具備する。
【００２３】
本発明によれば、前記電気光学ユニットを直接若しくは間接的に前記表示面の側から保持する保持部と回路基板を支持する支持部を一体に備えた金属枠とするとともに、電気光学パネルに対し表示面とは反対側に配置される背面部と回路基板を覆うカバー部を一体に備えた金属板とすることにより、前述の金属枠と支持板、放熱板と金属カバーをそれぞれ一体化して部品点数を低減できるとともに、金属枠の支持部と金属板のカバー部を固定することで、当該支持部の剛性を補うことができる。したがって、上記金属枠を厚くして剛性を高めなくても、或いは、金属枠の開口範囲を犠牲にして剛性を高めなくても、さらには、上記金属板を厚くして剛性を高めなくても、或いは、金属板の放熱性を犠牲にして剛性の高い素材を用いなくても、金属枠の支持部と金属板のカバー部の双方で回路基板を支持することができる。このため、装置の薄型化を妨げずに放熱性を確保できるとともに、部品点数を削減し、製造コストを低減することが可能になる。
【００２４】
上記第４発明においては、前記金属枠は前記保持部から前記支持部にわたる絞り変形部を有することが好ましい。これによれば、金属枠における保持部と支持部の間の剛性を高めることができる。また、前記金属板は前記背面部から前記カバー部にわたる絞り変形部を有することが好ましい。これによれば、金属板における背面部とカバー部の間の剛性を高めることができる。そして、これらによって金属板のさらなる薄型化や金属カバーと金属枠又は支持部との固定位置や固定構造の自由度を高めることができる。
【００２５】
また、前記金属枠は前記保持部と前記支持部が屈折し、前記金属板は前記背面部と前記カバー部が屈折していることが好ましい。このように金属枠及び金属板が屈折していることにより支持剛性をさらに高めることができる。
【００２６】
次に、本発明の電子機器は、上記のいずれかの電気光学装置と、該電気光学装置を制御する制御手段とを有することを特徴とする。このような電子機器としては、携帯電話機、表示モニタ、テレビジョン受像機、電子時計などの各種の電子機器が挙げられるが、特に、携帯により外部応力を受けやすい携帯型電子機器や車載用表示機器に用いる場合に効果的である。
【発明の効果】
【００２７】
本発明によれば、各種性能を犠牲にすることなく、部品点数を削減することにより品質管理の負担を軽減するとともに、製造コストを低減できるという優れた効果を奏し得る。
【図面の簡単な説明】
【００２８】
【図１】第１実施形態の電気光学装置を背面側から見た様子を示す斜視図。
【図２】第１実施形態の電気光学装置の縦断面図。
【図３】第２実施形態の電気光学装置を前面側から見た様子を示す斜視図。
【図４】第３実施形態の電気光学装置を背面側から見た様子を示す斜視図。
【図５】第４実施形態の電気光学装置を前面側から見た様子を示す斜視図。
【図６】第５実施形態の電気光学装置を前面側から見た様子を示す斜視図。
【図７】第６実施形態の電気光学装置の縦断面図。
【図８】第７実施形態の電気光学装置の縦断面図。
【図９】従来の電気光学装置を前面側から見た様子を示す斜視図。
【図１０】従来の電気光学装置を背面側から見た様子を示す斜視図。
【図１１】電気光学装置を搭載した電子機器の外観を示す斜視図。
【図１２】電子機器の表示制御系を示す概略ブロック図。
【発明を実施するための形態】
【００２９】
次に、添付図面を参照して本発明の実施形態について詳細に説明する。
【００３０】
[第１実施形態]
図１は本発明に係る第１実施形態の電気光学装置１１を背面側（表示面とは反対側）から見た様子を示す斜視図、図２は同装置１１の縦断面図である。なお、本実施形態は基本構成において図９及び図１０を参照して先に説明した従来構成と同様である。
【００３１】
この電気光学装置１１は、一方の面側（以下、単に「前面側」という。）に表示面１Ａを有する液晶表示パネル１と、この液晶表示パネル１の表示面１Ａとは反対側（以下、単に「背面側」という。）に重ねて配置されたバックライト２とを有する電気光学ユニット３を備えている。液晶表示パネル１は基板１ａと１ｂを備えたパネル本体と、このパネル本体に接続されるフレキシブル配線基板（ＦＰＣ）１ｃとを備えている。また、バックライト２はＬＥＤ等の光源２ａと、導光板２ｂと、反射板２ｃとを有するサイドライト構造を備えている。この電気光学ユニットとしては図示例のように光変調機能を有するパネル構造と照明機能を有する照明構造とが別体に設けられる構造に限定されるものではなく、有機ＥＬ表示体やプラズマディスプレイパネルなどのように両機能を備えた一体の構成を有するものであってもよい。
【００３２】
上記電気光学ユニット３は白色ポリエチレン等の絶縁体（樹脂）で構成された保持枠４に位置決め保持される。保持枠４は矩形の電気光学ユニット３を保持可能な矩形枠状に構成されている。保持枠４には前面側から金属枠５が装着される。金属枠５は前面側に上記表示面１Ａを露出させる開口部５ａを有する。また、金属枠５は上記開口部５ａの縁部が電気光学ユニット３を保持する枠状の保持部５ｂとされ、その周囲には背面側厚み方向に折り曲げられた側壁部５ｃを備えている。側壁部５ｃには複数の開口状の係合部５ｄが形成され、これらの係合部５ｄが上記保持枠４の外側面に設けられた被係合部４ｄと嵌合することで、保持枠４と金属枠５が相互に保持固定されている。
【００３３】
保持枠４の背面側には放熱板として設けられた金属板６が重なり配置されている。金属板６は、電気光学ユニット３の背面側に配置される背面部６Ａと、電気光学ユニット３の平面範囲の外側に張り出すように設けられた支持部６Ｂとを一体に有する。ここで、金属板６の嵌入部６ａ、６ｂが前面側に屈折して保持枠４の内部に導入され、保持枠４と係合することで保持されている。嵌入部６ａは背面部６Ａの支持部６Ｂとは反対側の外縁部においてＬ字状に屈折した部分であり、嵌入部６ｂは背面部６Ａの支持部６Ｂの側において厚み方向に屈折した後に折り返された部分である。嵌入部６ｂは好ましくは上記バックライト２の光源２ａの実装基板に接触し、光源２ａで生ずる熱を受けるように構成されている。さらに、金属板６は背面部６Ａと支持部６Ｂの境界部分に屈折部６ｃを有し、全体として鈍角（図示例では８０〜１３５度程度）に屈折した形状とされる。もちろん、屈折部６ｃの屈折角度は特に限定されず、例えば電子機器への搭載箇所に応じて適宜の角度、例えば９０度などに設定することができる。
【００３４】
支持部６Ｂには回路基板７が支持固定され、この回路基板７は上記電気光学ユニット３に接続されている。具体的には回路基板７はフレキシブル配線基板１ｃを介してパネル本体に接続されている。支持部６Ｂの幅方向両側には厚み方向に折り曲げられた側片部６ｄ、６ｅが設けられ、これらの側片部６ｄ、６ｅには開口部よりなる係合部が設けられている。また、支持部６Ｂ上の回路基板７は金属カバー９によって覆われている。金属カバー９は幅方向両側に厚み方向に折り曲げられた側片部９ａ、９ｂが設けられ、これらの側片部９ａ、９ｂは爪状の被係合部が設けられている。上記側片部６ｄ、６ｅと側片部９ａ、９ｂは重ねられた状態で上記係合部と被係合部が係止されることで金属カバー９は支持部６Ｂに固定される。支持部６Ｂと金属カバー９は回路基板７を収容する導電性のケース体を構成し、これによって回路基板７に起因するＥＭＩの対策が講じられる。
【００３５】
また、金属板６の背面部６Ａの幅方向両側には支持部６Ｂ側に突出する突片部６ｆ、６ｇが設けられている。これらの突片部６ｆ、６ｇは、金属カバー９の金属枠５側の端縁から幅方向両側に突出する突片部９ｃ、９ｄと重なるように構成され、止めネジ９ｘ等により固定される。このようにして、金属カバー９は支持部６Ｂと背面部６Ａの双方に固定されるので、当該金属カバー９を介在した支持によって電気光学ユニット３に対する回路基板７の支持剛性が高められる。
【００３６】
本実施形態では、上述のように電気光学ユニット３の表示面１Ａとは反対側に配置される金属板６に電気光学ユニット３と平面的に重なる背面部６Ａと電気光学ユニット３の平面範囲の外側に配置される支持部６Ｂとを一体に設けているので、部品点数が削減されるとともに組立作業も軽減されるため、その分、管理の手間を省き、製造コストも低減することができる。
【００３７】
また、本実施形態では回路基板７を覆う金属カバー９を金属板６の支持部６Ｂだけでなく、背面部６Ａにも固定したので、金属カバー９を介した支持により回路基板７の支持剛性を高めることができるため、金属板６を厚くする必要がなく、また、放熱性の良好なアルミニウムなどの軟質材料をそのまま用いることができることから、装置１１の薄型化を妨げたり、放熱性を妨げたりすることなく構成できる。
【００３８】
また、金属板６側の突片部６ｆ、６ｇによって、電気光学装置１１を電子機器等に固定する場合においても、金属カバー９側の突片部９ｃ、９ｄと共に固定することが可能であり固定時の剛性も不足することはない。
【００３９】
なお、本実施形態では上述のように金属板６の背面部６Ａと支持部６Ｂとが屈折した形状を有するので、屈折部６ｃにおいて金属板６の剛性（特に幅方向の変形に対する剛性）を高めることができるので、上記効果に加えて回路基板７の支持剛性をさらに向上させることができる。
【００４０】
［第２実施形態］
次に、図３を参照して本発明に係る第２実施形態の電気光学装置１２について説明する。この実施形態においては、第１実施形態と同一部分には同一符号を付し、それらの説明は省略する。
【００４１】
前述の第１実施形態では、金属カバー９が金属板６の支持部６Ｂだけでなく背面部６Ａにも固定されていたが、本実施形態の電気光学装置１２では、金属カバー９が金属板６の支持部６Ｂ以外に、金属枠５に固定されている。この金属カバー９は金属枠５上に張り出した端縁部９ｅを有し、この端縁部９ｅは金属枠５の回路基板７側の保持部５ｂに固定ネジ９ｘ等により固定される。なお、図示例では上記端縁部９ｅは金属枠５に対する固定面積を増加させて固定力を高めるために幅方向両側に突出した形状を備えている。
【００４２】
この実施形態では、金属カバー９が金属板６の支持部６Ｂと金属枠５に共に固定されていることにより、金属カバー９を介した支持により回路基板７の支持剛性を高めている。特に、回路基板７を本来的に支持する支持部６Ｂを有する金属板６とは別の、しかも電気光学ユニット３に対して厚み方向の反対側に配置された金属枠５に金属カバー９を固定することで、支持負担を良好に分散することができるので、支持剛性の向上効果をさらに高めることができる。
【００４３】
［第３実施形態］
次に、図４を参照して第３実施形態の電気光学装置１３について説明する。本実施形態でも、第１実施形態と同一部分には同一符号を付し、それらの説明は省略する。
【００４４】
本実施形態では、基本的には第１実施形態と同様の構造を有するが、金属板６の背面部６Ａから支持部６Ｂにわたる範囲に絞り加工によって形成されたリブ状の絞り加工部６ｈが設けられている点が異なる。この絞り加工部６ｈは、図示例において前面側から背面側へ向けて背面部６Ａから支持部６Ｂへと延長された範囲にわたって板材を部分的に打ち出すことで形成されている。ただし、これとは逆に背面側から前面側へ板材を打ち出すことによって形成してもよい。
【００４５】
本実施形態では、金属板６に上記の絞り加工部６ｈを設けることで、背面部６Ａと支持部６Ｂの間の剛性が高められるので、回路基板７の支持剛性をさらに向上できる。なお、本実施形態の絞り加工部６ｈを上記第２実施形態や後述する各実施形態に設けることも可能である。
【００４６】
［第４実施形態］
次に、図５を参照して本発明に係る第４実施形態の電気光学装置１４について説明する。本実施形態でも、第１実施形態と同一部分には同一符号を付し、それらの説明は省略する。
【００４７】
本実施形態では、金属板６については上記第１実施形態と同様に構成されるが、金属枠５は、電気光学ユニット３と平面的に重なる保持部５Ａと、電気光学ユニット３の平面範囲の外側に張り出したカバー部５Ｂとを一体に備え、このカバー部５Ｂが金属板６の支持部６Ｂに支持された回路基板７を覆っている点で異なる。このカバー部５Ｂは支持部６Ｂに第１実施形態と同様の係合構造によって固定されている。
【００４８】
本実施形態では、金属枠５に保持部５Ａとカバー部５Ｂを一体に設け、このカバー部５Ｂを支持部６Ｂに固定することで、回路基板７の支持剛性を向上させている。なお、金属枠５は金属板６の屈折形状に対応した屈折形状とされ、保持部５Ａとカバー部５Ｂと間に所定の屈折部を備えている。この金属枠５の屈折形状にも回路基板７の支持剛性を向上させる効果がある。
【００４９】
［第５実施形態］
次に、図６を参照して本発明の第５実施形態の電気光学装置１５について説明する。本実施形態でも、第１実施形態と同一部分には同一符号を付し、それらの説明は省略する。
【００５０】
本実施形態では、金属枠５の回路基板７側の側片部から突出する突片部５ｄ、５ｅと、金属カバー９の幅方向両側に突出する突片部９ｆ、９ｇが重ねられた状態で止めネジ９ｘ等により固定される。これによって、金属カバー９は第２実施形態と同様に支持部６Ｂだけでなく、金属枠５にも固定される。
【００５１】
また、本実施形態では、電気光学ユニット３と平面的に重なる背面部６Ａと電気光学ユニット３の平面範囲の外側に配置される支持部６Ｂとがほぼ同一平面に沿って形成され、金属板６が全体的に平板状に構成されている。本発明はこのように構成されることで電気光学ユニット３と回路基板７が同一平面上に配置されるようになっているが、このような構成は他の実施形態でも同様に適用できる。
【００５２】
［第６実施形態］
次に、図７を参照して本発明の第６実施形態の電気光学装置１６について説明する。本実施形態でも、第１実施形態と同一部分には同一符号を付し、それらの説明は省略する。
【００５３】
本実施形態では、金属枠５に保持部５Ａと支持部５Ｂを一体に設け、金属板６には支持部を設けずに回路基板７を金属枠５の支持部５Ｂにより支持するとともに、背面側から回路基板７を金属カバー９で覆うように構成している。そして、この金属カバー９は支持部５Ｂと金属板６に固定される。ただし、金属カバー９を保持部５Ａに固定してもよい。
【００５４】
本実施形態では、第１実施形態の金属板６に支持部６Ｂを設けた構成を、金属枠５に支持部５Ｂを設けた構成に変更したものである。このように構成すると、回路基板７の支持剛性については基本的に第１実施形態と同様に金属カバー９を介した支持により向上する。また、この構成では、一般的に放熱性を考慮しなくてもよいなどの理由で金属板６よりも高い剛性を有する金属枠５に支持部５Ｂを設けることができるので、支持剛性の向上効果をさらに高めることができる。ただし、金属枠５は表示面１Ａを露出させるための開口部５ａを有しているとともに、厚みを増加させることで装置１６の薄型化を妨げることになる点は第１実施形態と同様であるので、必ずしも十分な剛性を持つ構成にできるとは限らないことから、金属カバー９を介した支持作用は本実施形態においても有用である。
【００５５】
なお、本実施形態の上記構成は、第１実施形態に対する変更態様と同様の変更を施すことにより、上記の第２、第３、第５実施形態についても同様に適用することができる。
【００５６】
［第７実施形態］
次に、図８を参照して本発明の第７実施形態の電気光学装置１７について説明する。この実施形態ででも第４実施形態と同一部分には同一符号を付し、それらの説明は省略する。
【００５７】
本実施形態では、金属枠５に保持部５Ａと支持部５Ｂを一体に設け、金属板６に背面部６Ａとカバー部６Ｂを一体に設けた点で上記第４実施形態とは異なる。ここで、回路基板７は支持部５Ｂに支持され、カバー部６Ｂによって覆われる。また、支持部５Ｂとカバー部６Ｂとは相互に固定される。
【００５８】
本実施形態でも、基本的には第４実施形態と同様に支持剛性の向上効果を得ることができる。この構成では、一般的に放熱性を考慮しなくてもよいなどの理由で金属板６よりも高い剛性を有する金属枠５に支持部５Ｂを設けることができるので、支持剛性の向上効果をさらに高めることができる。ただし、金属枠５は表示面１Ａを露出させるための開口部５ａを有しているとともに、厚みを増加させることで装置１６の薄型化を妨げることになる点は第４実施形態と同様であるので、必ずしも十分な剛性を持つ構成にできるとは限らないことから、金属板６において背面部６Ａとカバー部６Ｂを一体化したことによる支持作用は本実施形態においても有用である。
【００５９】
［電子機器］
最後に、図１１及び図１２を参照して本発明に係る電子機器の実施形態について説明する。図１１は、本実施形態の電気光学装置１１を搭載した電子機器の例を示す概略斜視図である。なお、電気光学装置としては上記の他の実施形態を搭載することも可能である。
【００６０】
図１１に示す電子機器２００は車載用のカーナビゲーションシステムであり、本体２１０と、この本体２１０に接続された表示部２２０とを備えている。本体２１０には操作ボタン等を配設した操作面２１１が設けられるとともに、ＤＶＤ等の記録媒体の導入口２１２が設けられている。表示部２２０の内部には上記の電気光学装置１１が格納され、この電気光学装置１１の上記表示面１Ａ、すなわちナビゲーション画像の表示が表示部２２０の表示画面２２０ａにて視認できるように構成されている。
【００６１】
図１２は電子機器２００に搭載された電気光学装置１１に対する制御系（表示制御系）の全体構成を示す概略構成図である。ここに示す電子機器２００は、表示情報出力源２９１と、表示情報処理回路２９２と、電源回路２９３と、タイミングジェネレータ２９４と、照明ユニットであるバックライト２への電力供給を行う光源制御回路２９５とを含む表示制御回路２９０を有する。また、電気光学装置１１には、上述の構成を有する電気光学パネル１と、このパネル１を駆動する駆動回路１Ｄと、パネル１を照明するバックライト２とが設けられている。
【００６２】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００６３】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１Ｄへ供給する。駆動回路１Ｄは、走査線駆動回路、信号線駆動回路及び検査回路を含む。また、電源回路２９３は、上述の各構成要素にそれぞれ所定の電圧を供給する。
【００６４】
光源制御回路２９５は、電源回路２９３から供給される電圧に基づいてバックライト２の光源に電力を供給し、所定の制御信号に基づいて光源の点灯の有無及びその輝度等を制御するようになっている。
【００６５】
また、本発明に係る電子機器としては、図１１に示すカーナビゲーション装置の他に、液晶テレビ、携帯電話機、電子手帳、電卓、ワークステーション、テレビ電話、ＰＯＳ端末機などが挙げられる。そして、これらの各種電子機器の表示部として本発明に係る電気光学装置を用いることができる。ただし、本発明は電気光学装置１１の支持剛性が向上するという特徴を有するため、特に、携帯電話、電子時計、携帯型情報端末などといった小型の携帯型電子機器や振動を受けやすい車載用の電子機器に用いる場合に有効である。
【００６６】
尚、本発明の照明装置及び電気光学装置は、上述の図示例にのみ限定されるものではなく、本発明の要旨を逸脱しない範囲内において種々変更を加え得ることは勿論である。
【符号の説明】
【００６７】
１０〜１７…電気光学装置、１…液晶表示パネル、１Ａ…表示面、１Ｄ…駆動回路、２…バックライト、３…電気光学ユニット、４…保持枠、５…金属枠、６…金属板、７…回路基板、９…金属カバー
【図１】
2010243519.tif 000003
【図２】
2010243519.tif 000004
【図３】
2010243519.tif 000005
【図４】
2010243519.tif 000006
【図５】
2010243519.tif 000007
【図６】
2010243519.tif 000008
【図７】
2010243519.tif 000009
【図８】
2010243519.tif 000010
【図９】
2010243519.tif 000011
【図１０】
2010243519.tif 000012
【図１１】
2010243519.tif 000013
【図１２】
2010243519.tif 000014